(57)【要約】ウエブページ上の画像をドラッグ＆ドロップ操作によりブックマーク画像として対応するアドレス情報と共に記憶し、該ブックマーク画像の選択によって目的のウエブページを表示することを可能とし、ウエブページの閲覧を容易にしたウエブページ閲覧方法、ウエブページ閲覧プログラム及びウエブページ閲覧システムを提供するため、ウエブサーバから提供されるウエブページを閲覧する際に、ウエブページの閲覧画面の一部に、該ウエブページ中の画像を収集するためのスクラップ領域を表示し、該画像上でのドラッグ操作を検知した場合に、当該画像のブックマーク画像を作成してドラッグ操作に伴って移動させて表示し、該ブックマーク画像がスクラップ領域にドロップ操作された場合に、該ブックマーク画像をスクラップ領域に表示すると共に該ブックマーク画像と対応する画像のアドレス情報を記憶するようにした。
2003096224.tif 000002
【特許請求の範囲】
【請求項１】
ネットワーク端末上でウエブサーバから提供されるウエブページを閲覧するウエブページ閲覧システムのウエブページ閲覧方法において、
ウエブページの閲覧画面の一部に、該ウエブページ中のオブジェクトを収集するためのスクラップ領域を表示するステップと、
該オブジェクト上でネットワーク端末に接続された入力装置によるドラッグ操作を検知した場合に、前記閲覧画面上で当該オブジェクトのブックマーク画像を作成するステップと、
該ブックマーク画像を前記ドラッグ操作に伴って移動させて表示するステップと、
該ブックマーク画像がスクラップ領域上でドロップ操作された場合に、該ブックマーク画像をスクラップ領域に表示すると共に該ブックマーク画像と対応するオブジェクトのアドレス情報を記憶するステップと、
を含むことを特徴とするウエブページ閲覧方法。
【請求項２】
前記スクラップ領域に表示されているブックマーク画像が選択された場合に、該ブックマーク画像のアドレス情報に従って対応するウエブページを前記閲覧画面に表示させるステップを含むことを特徴とする請求項１に記載のウエブページ閲覧方法。
【請求項３】
前記ブックマーク画像がスクラップ領域にドロップ操作された場合に、該ブックマーク画像と対応するオブジェクトのアドレス情報を記憶するステップにおいて、アドレス情報と共に該オブジェクトの識別情報を記憶し、
該識別情報をデータ管理サーバに送信するステップと、
該データ管理サーバから配信された該識別情報と対応する情報を受信するステップと、
をさらに含むことを特徴とする請求項１または２に記載のウエブページ閲覧方法。
【請求項４】
ウエブサーバから提供されるウエブページを閲覧するウエブページ閲覧システムにて運用されるウエブページ閲覧プログラムにおいて、
ネットワーク端末上に表示されるウエブページの閲覧画面の一部に、該ウエブページ中のオブジェクトを収集するためのスクラップ領域を表示するステップと、
該オブジェクト上でネットワーク端末に接続された入力装置によるドラッグ操作を検知した場合に、当該オブジェクトのブックマーク画像を作成するステップと、
該ブックマーク画像を前記ドラッグ操作に伴って移動させて表示するステップと、
該ブックマーク画像がスクラップ領域にドロップ操作された場合に、該ブックマーク画像をスクラップ領域に表示すると共に該ブックマーク画像と対応するオブジェクトのアドレス情報を記憶するステップと、
を実行させることを特徴とするウエブページ閲覧プログラム。
【請求項５】
ウエブサーバから提供されるウエブページをネットワークを介してネットワーク端末上で閲覧するウエブページ閲覧システムにおいて、
ウエブページを表示する表示手段と、
該表示手段の表示画面上の位置を特定する入力装置と、
前記表示手段上に表示されるウエブページの閲覧画面の一部に、該ウエブページ中のオブジェクトを収集するためのスクラップ領域を表示するスクラップ領域表示手段と、
該オブジェクト上での前記入力装置によるドラッグ操作を検知した場合に、当該オブジェクトのブックマーク画像を作成して表示し、ドラッグ操作と共に移動させるブックマーク画像作成手段と、
該ブックマーク画像がスクラップ領域にドロップ操作された場合に、該ブックマーク画像をスクラップ領域に表示させると共に該ブックマーク画像と対応するオブジェクトのアドレス情報を記憶させるブックマーク画像管理手段と、
該ブックマーク画像管理手段によりアドレス情報が記憶される記憶手段と、
を含むことを特徴とするウエブページ閲覧システム。
【請求項６】
前記スクラップ領域に表示されているブックマーク画像が選択された場合に、該ブックマーク画像のアドレス情報に従って対応するウエブページを前記閲覧画面に表示させるウエブ閲覧手段を備えることを特徴とする請求項５に記載のウエブページ閲覧システム。
【請求項７】
前記ブックマーク画像管理手段が、前記アドレス情報と共にオブジェクトの識別情報を記憶し、
該識別情報をデータ管理サーバに送信する識別情報送信手段と、
該データ管理サーバから該識別情報と対応する情報を受信する受信手段と、
を備えることを特徴とする請求項５または６に記載のウエブページ閲覧システム。
【請求項８】
ウエブページを提供するウエブサーバと、該ウエブサーバから提供されるウエブページを閲覧するネットワーク端末と、該ウエブサーバからの情報を各ネットワーク端末に配信するデータ管理サーバとをネットワークを介して接続したウエブページ閲覧システムにおいて、
前記ウエブサーバが、ウエブページを提供するウエブページ提供手段と、前記データ管理サーバに配信用の情報を送信する送信手段とを備え、
前記データ管理サーバが、前記ウエブサーバから配信用の情報を受信する配信情報受信手段と、該配信用の情報を記憶する記憶手段と、前記ネットワーク端末から識別情報を受信する識別情報受信手段と、該識別情報受信手段で受信した識別情報に応じた情報を前記記憶手段から抽出して前記ネットワーク端末に配信する配信手段とを備え、
前記ネットワーク端末が、ウエブページを表示する表示手段と、該表示手段の表示画面上の位置を特定する入力装置と、ウエブページの閲覧画面の一部に、該ウエブページ中のオブジェクトを収集するためのスクラップ領域を表示するスクラップ領域表示手段と、該オブジェクト上でのドラッグ操作を検知した場合に、当該オブジェクトのブックマーク画像を作成して表示し、ドラッグ操作と共に移動させるブックマーク画像作成手段と、該ブックマーク画像がスクラップ領域にドロップ操作された場合に、該ブックマーク画像をスクラップ領域に表示させると共に該ブックマーク画像と対応するオブジェクトのアドレス情報及び識別情報を記憶させるブックマーク画像管理手段と、該ブックマーク画像管理手段によりアドレス情報及び識別情報が記憶される記憶手段と、該識別情報をデータ管理サーバに送信する識別情報送信手段と、該データ管理サーバから該識別情報と対応する情報を受信する配信情報受信手段とを備えたことを特徴とするウエブページ閲覧システム。
【請求項９】
前記オブジェクトが、画像、動画、表、指定した範囲のテキスト、音、プログラムまたはリンク情報であることを特徴とする請求項５から８の何れかに記載のウエブページ閲覧システム。
【請求項１０】
前記オブジェクトが、前記ウエブサーバに特定情報を要求し、該ウエブサーバから取得した特定情報を表示、再生、記録或は転送を行うプログラムであることを特徴とする請求項５から８の何れかに記載のウエブページ閲覧システム。
【請求項１１】
ウエブサーバから提供されるウエブページを閲覧するウエブページ閲覧システムのウエブページ閲覧方法において、
データ管理サーバにおいて、あらかじめウエブサーバより当該ウエブサーバのための専用プログラムとその識別情報とを送信しておくステップと、
ネットワーク端末上においてウエブページの閲覧画面の一部に、該ウエブページ中のオブジェクトを収集するためのスクラップ領域を表示させて、該オブジェクト上でのドラッグ操作を検知したときに該オブジェクトのブックマーク画像を生成・表示し、該ブックマーク画像をドラッグアンドドロップ操作にともなってスクラップ領域に移動させ、該ブックマーク画像をスクラップ領域に表示させるとともに、該ブックマーク画像と対応するオブジェクトの識別情報とを記憶しておくステップと、
前記データ管理サーバにおいて、前記ネットワーク端末から前記識別情報を受信して、この識別情報と前記でウエブサーバから受信した識別情報とが一致する場合には、前記専用プログラムが前記ブックマーク画像と連動してネットワーク端末上で実行できるように、当該ネットワーク端末に対して前記専用プログラムをダウンロードさせるステップとからなるウエブページ閲覧方法。
【請求項１２】
前記データ管理サーバは、少なくとも前記ウエブページのアドレスと、データ管理サーバ内の専用プログラムのアドレスとを関係付ける識別情報管理テーブルを備えている請求項１１記載のウエブページ閲覧方法。
【請求項１３】
前記専用プログラムは、前記ウエブページに表示された情報の更新を前記ネットワーク端末上のブックマーク画像の視覚的変化として表示させる機能を備えた請求項１１記載のウエブページ閲覧方法。
【発明の詳細な説明】
技術分野
本発明は、ウエブページ上のオブジェクトをマウスなどの入力装置のドラッグ＆ドロップ操作によりブラウザの拡張コンポーネント（インターネットエクスプローラではエクスプローラバー）上にスクラップすることによりブックマークやプッシュ配信を行う機能を付加したウエブ閲覧技術に適用可能なウエブページ閲覧方法、ウエブページ閲覧プログラム及びウエブページ閲覧システムに関するものである。
背景技術
従来、インターネット等のネットワークに接続された情報処理端末（ネットワーク端末）の使用者がＷＷＷ（Ｗｏｒｌｄ  Ｗｉｄｅ  Ｗｅｂ）上のページ情報（ウエブページ）を閲覧しようとする際には、インターネット上のウエブページ等に一意に割り振られるアドレス、即ち、ＵＲＬ（Ｕｎｉｆｏｒｍｅｄ  Ｒｅｓｏｕｒｃｅ  Ｌｏｃａｔｏｒ）を指定することにより、世界中に無数に存在するウエブページの中から目的のページを閲覧している。
また、使用者が、一旦入力したＵＲＬ、または、一旦閲覧したウエブページのＵＲＬを、ブックマークとして使用者が使用する端末内の記憶領域に保存しておいて、この使用者が、これ以降、再び同じＵＲＬのウエブページを閲覧しようとする際には、この保存したブックマークを使用することにより、初回閲覧時よりも簡単な操作で、閲覧できるようにする機能も既に実用化されている。
さらに、前記使用者は、関連するサイトのリンクを主体として集めたサーバサイト（即ち、ポータルサイト）を利用して、効率的に目的のウエブページを探すこともできる。
しかし、前記の従来のウエブページ閲覧方法において、ＷＷＷ上で、所望のＵＲＬを探し出す操作は、一般に、大変面倒である。
また、使用者が、一旦入力したＵＲＬ、または、一旦閲覧したウエブページのＵＲＬを、ブックマークとして保存する場合、ページのタイトル等と対応をとって記憶することになるので、後で利用する際にこのブックマークの具体的内容が分かりづらいという問題点があった。
さらに、前記の関連サイトのリンク集を保持したポータルサイトを利用する場合には、探索の手間は省けることがあるが、それでも、ポータルサイトを利用する都度、前記ポータルサイトにアクセスするためのトラフィックが生じ、不効率であった。
本発明は、以上のような従来のウエブページ閲覧方法の問題点に鑑みてなされたものであり、ウエブページ上のオブジェクトをドラッグ＆ドロップ操作によりブックマーク画像として対応するアドレス情報と共に記憶し、該ブックマーク画像の選択によって目的のウエブページを表示することを可能とし、容易にウエブページを閲覧することのできるウエブページ閲覧方法、ウエブページ閲覧プログラム及びウエブページ閲覧システムの提供を目的とする。
発明の開示
本発明のウエブページ閲覧方法、ウエブページ閲覧プログラム及びウエブページ閲覧システムは、ウエブサーバから提供されるウエブページを閲覧する際、ウエブページの閲覧画面の一部に、該ウエブページ中のオブジェクトを収集するためのスクラップ領域を表示し、該オブジェクト上でのドラッグ操作を検知した場合に、当該オブジェクトのブックマーク画像を作成してドラッグ操作に伴って移動させて表示し、該ブックマーク画像がスクラップ領域にドロップ操作された場合に、該ブックマーク画像をスクラップ領域に表示すると共に該ブックマーク画像と対応するオブジェクトのアドレス情報を記憶することにより、ウエブページの任意の個所をスクラップしてブックマーク画像を作成し、スクラップ領域に収集しておくことができ、以降、この画像即ちウエブページの内容を見ながらブックマークを選ぶことができ、ウエブページの閲覧を一層容易にしている。
発明を実施するための最良の形態
以下、本発明の実施の形態について図面を参照して説明する。
〈第１の実施形態〉
図１は、本発明の実施の形態に係るウエブページ閲覧システムを説明する図である。
本実施の形態に係るウエブページ閲覧システム１は、ネットワークＮを介してウエブサーバ２に接続するコンピュータであり、所謂インターネット端末（ネットワーク端末）である。該ウエブサーバ２としては、不特定多数のサーバ２ａ，２ｂ・・・が存在し、各ウエブサーバ２が提供するウエブページにはそれぞれ一意にＵＲＬが割り振られている。従って本システム１は、ユーザから入力されたＵＲＬに応じて、ウエブサーバ２と接続して対応するウエブページを表示する。
図２は、本実施の形態に係るウエブページ閲覧システム１の概略構成図である。
本システム１は、同図に示す如く本体１１内に、ＣＰＵ（ｃｅｎｔｒａｌ  ｐｒｏｃｅｓｓｉｎｇ  ｕｎｉｔ）やメインメモリ等よりなる演算処理部１２、演算処理のためのソフトウェアを記憶した記憶手段（ハードディスク）１３、これらのデータの入出力部である入出力ポート１４、ネットワークに接続して他のコンピュータとの通信を制御するモデム、ＴＡ、ネットワークカード等の通信制御手段（ＣＣＵ）１５が備えられている。
該記憶手段１３には、オペレーティングシステム（ＯＳ）やアプリケーションソフトウェア（ウエブページ閲覧プログラム等）がインストールされている。
また、入出力ポート１４には、キーボード、ポインティングデバイス（マウス）等の入力装置や、ディスプレイ（表示手段）、スピーカ等の出力手段が適宜接続されている。
演算処理部１２は、周辺機器からの情報やアプリケーションソフトウェアに基づく処理により、スクラップ領域表示手段、ブックマーク画像作成手段、ブックマーク画像管理手段、ウエブ閲覧手段等を実現している。
該演算処理部１２は、スクラップ領域表示手段の機能として、ウエブページの閲覧画面（ウエブページ閲覧用のウインドウ）の一部に、該ウエブページ中のオブジェクト（画像や動画、音、テキスト、プログラム、リンク等）を収集するためのスクラップ領域を表示する。
また、ブックマーク画像作成手段の機能としては、該オブジェクト上でのドラッグ操作を検知した場合に、当該オブジェクトのブックマーク画像（当該オブジェクトを象徴する画像、例えばオブジェクトが画像や動画、テキストであればその縮小画像、音やプログラムであれば特定のアイコン等とする）を作成して表示し、ドラッグ操作と共に移動させる。
ブックマーク画像管理手段の機能としては、該ブックマーク画像がスクラップ領域にドロップ操作された場合に、該ブックマーク画像をスクラップ領域に表示させると共に該ブックマーク画像と対応するオブジェクトのアドレス情報（該オブジェクトが含まれるページのＵＲＬ等）を記憶手段１３に記憶させる。
ウエブ閲覧手段の機能としては、指定されたＵＲＬのウエブページをウエブサーバ２から取得してディスプレイ上の閲覧画面に表示するものであり、例えば入力手段から入力されたＵＲＬや、ユーザに選択されたブックマーク画像のＵＲＬに従って対応するウエブページを前記閲覧画面に表示させる。
また、ウエブサーバ２は、ＣＰＵやメインメモリ等よりなる演算処理部、演算処理のためのソフトウェアを記憶した記憶手段、これらのデータの入出力部である入出力ポート、ネットワークに接続して他のコンピュータとの通信を制御する通信制御手段（ＣＣＵ）等を備えたコンピュータであり、本システム１に対してネットワークを介してＨＴＭＬやＸＭＬなどで記述されたウエブページを提供する。
図３は、本システム１によりブックマーク画像をスクラップし、該ブックマーク画像に基づいてウエブページを閲覧する手順（ウエブページ閲覧方法）の説明図である。
本システム１において、アプリケーションソフトウェア（ウエブページ閲覧プログラム）が起動されると、演算処理部１２はウエブ閲覧手段の機能により、図４の如くディスプレイ上に閲覧画面（閲覧用のウインドウ）２１を表示させ、このウインドウ２１に任意のウエブページを表示させる。なお、このウインドウ２１の一部には、スクラップ領域表示手段の機能によりスクラップ領域２２が表示されている。該スクラップ領域２２は、図４中、左端部に位置しているが、この位置はオブジェクトのドラック＆ドロップ操作が可能である範囲であれば、ウインドウ２１の内外を問わず、任意に配置可能である（ステップ１、以下Ｓ１のように略記する）。
ユーザは、該ウインドウ２１のアドレス入力欄２３にＵＲＬを入力したり、ウエブページ中のリンクをたどるなどして、ウエブページの閲覧を行い、ブックマークしたいオブジェクト２４を見つけた場合には、マウス等のポインティングデバイスで、このオブジェクト２４をスクラップ領域２２にドラック＆ドロップ操作する。
演算処理部１２は、このオブジェクトのドラッグ操作の操作が入力されると（Ｓ２，Ｓ３）、ブックマーク画像作成手段の機能により、該オブジェクト２４のタグに基づいて該オブジェクト２４をサーバ２から読み出し、ブックマーク画像２４ａを作成し、図５の如くマウスカーソル２５をこのブックマーク画像２４ａをピックアップしたものに変更して表示する（Ｓ４，Ｓ５）。
また、図６の如く該ドラッグ操作の操作に伴って該ブックマーク画像２４ａを移動させて表示する（Ｓ６，Ｓ７）。
そして該ブックマーク画像２４ａがスクラップ領域２２にドロップ操作されると、演算処理部１２は、ブックマーク画像管理手段の機能により、マウスカーソル２５を通常に戻し、ブックマーク画像２４ａをスクラップ領域２２に表示し（図７）、図１１のように該ブックマーク画像２４ａと対応するオブジェクト２４のアドレス情報（オブジェクトが含まれているウエブページのＵＲＬや、該オブジェクトのタグ、オブジェクトのファイル名、表示位置等の情報）を記憶手段１３に記憶する（Ｓ８〜Ｓ１２）。
これらの操作を繰り返して図８の如くユーザが所望するブックマーク画像２４ａをスクラップ領域に収集していく。該ブックマーク画像２４ａが多数収集された場合には、スクロールバー３１の操作により画面外のものを表示する。また、フォルダ３２を作成し、階層構造で管理してもよい。そして不要になったブックマーク画像２４ａは、ごみ箱アイコン３３上にドラッグ＆ドロップ操作することにより該画像２４ａ及びアドレス情報を記憶手段１３から削除する。
そして、該ブックマーク画像２４ａが選択（例えばマウスでクリック）されると、演算処理部１２は、ウエブ閲覧手段の機能により該画像２４ａのアドレス情報を記憶手段１３から読み出し、これに従ってウエブサーバ２に接続して対応するウエブページを取得し、ウインドウ２１に表示する。
以上のように、本実施形態によれば、ドラッグ＆ドロップ操作といった簡単な動作で、ウエブページ中のオブジェクトを切り抜き（スクラップし）、ブックマークとして収集しておくことができるので、後日この画像を見ながら、表示させたいページを選ぶことができるので、内容を確認しながら容易にウエブページを閲覧できるようになる。
〈第２の実施形態〉
図９は、本発明に係る第２の実施形態としてのウエブ閲覧システムの説明図である。本システムは、ネットワークを介して接続されたウエブサーバ２と、データ管理サーバ３と、ネットワーク端末１０とからなっている。本実施形態は、前述の実施形態と比べ、ウエブサーバ２がブックマーク画像に対するプッシュ情報をデータ管理サーバ３に送信し、該データ管理サーバ３が各ブックマーク画像を有するシステム１にプッシュ情報を配信する点が異なり、その他の構成は、略同じである。このため、前述の形態と同一の要素には同符号を付す等して再度の説明を省略している。
図１０は、本形態のネットワーク端末１０の概略構成図である。
本ネットワーク端末１０は、同図に示す如く図２のシステム１と略同じハード構成であり、本体１１内に、ＣＰＵやメインメモリ等よりなる演算処理部１２ａ、記憶手段１３、入出力ポート１４、通信制御手段（ＣＣＵ）１５が備えられている。
演算処理部１２ａは、前述の演算処理部１２の機能に加えて、識別情報送信手段と配信情報受信手段の機能を有している。
本形態の演算処理部１２ａは、ブックマーク画像管理手段の機能として、前記ブックマーク画像がスクラップ領域にドラッグ＆ドロップ操作された場合に、当該画像のアドレス情報と共に識別情報を記憶手段１３に記憶する。
また、識別情報送信手段の機能としては、該識別情報をデータ管理サーバに送信する。
また、配信情報受信手段の機能として、該データ管理サーバから該識別情報と対応する情報（配信情報：プッシュ配信サービスにおけるプッシュ情報）を受信し、ブックマーク画像管理手段の機能として、前記スクラップ領域に配信情報を表示する機能を有している。
一方、ウエブサーバ２は、ＣＰＵやメインメモリ等よりなる演算処理部、演算処理のためのソフトウェアを記憶した記憶手段、これらのデータの入出力部である入出力ポート、ネットワークに接続して他のコンピュータとの通信を制御する通信制御手段（ＣＣＵ）等を備えたコンピュータであり、該記憶手段１３には、オペレーティングシステム（ＯＳ）やアプリケーションソフトウェアがインストールされている。
また、該ウエブサーバ２は、演算処理部による各部の制御によって、ネットワークを介してＨＴＭＬやＸＭＬなどで記述されたウエブページを提供するウエブページ提供手段や、前記データ管理サーバに配信用の情報を送信する送信手段を実現している。
データ管理サーバ３は、ＣＰＵやメインメモリ等よりなる演算処理部、演算処理のためのソフトウェアを記憶した記憶手段、これらのデータの入出力部である入出力ポート、ネットワークに接続して他のコンピュータとの通信を制御する通信制御手段（ＣＣＵ）等を備えたコンピュータであり、該記憶手段１３には、オペレーティングシステム（ＯＳ）やアプリケーションソフトウェアがインストールされている。
該データ管理サーバ３は、演算処理部による各部の制御によって、前記ウエブサーバから配信用の情報を受信する配信情報受信手段や、該配信用の情報を記憶する記憶手段、前記ネットワーク端末から識別情報を受信する識別情報受信手段、該識別情報受信手段で受信した識別情報に応じた情報を前記記憶手段から抽出して前記ネットワーク端末に配信する配信手段を実現している。
まず、ユーザは、データ管理サーバ３に対してプッシュ配信サービスを利用することについてユーザ登録を行い、個人認証キーを得ておく。
また、ウエブサーバ（コンテンツサーバ）２は、このサービスに対応するオブジェクトのタグに識別情報（本例では１２８ビットキーコード）を付加しておく。
例えば、
〈ｉｍｇ  ｓｒｃ＝”ｘｘｘｘ”ｄｄｋｅｙ＝”１２８ビットコードを３２バイトの文字列としたもの”〉
のように、ｄｄｋｅｙ＝に続けて識別情報をタグに記述しておく。
さらに、ウエブサーバ２は、この識別情報と対応するプッシュ情報をデータ管理サーバ３に送信（登録）する。
このプッシュ情報の登録手順としては、まず、ウエブサーバ２からデータ管理サーバ３に接続し、あらかじめデータ管理サーバ３に登録した登録者ＩＤ（登録者（プッシュ情報の配信者）即ちウエブサーバ２の運営者等を示すＩＤ）を入力すると、データ管理サーバ３が記憶手段に記憶しているプッシュ情報のうち、図１２に示すような該登録者ＩＤに関連する情報を掲載したページ（プッシュ情報トップページ）が表示される。また、このページから新規登録ボタンを選択すると図１３に示すようなプッシュ情報新規登録ページが表示される。
登録者（ウエブサーバ２の運営者）が、該ページの入力欄に優先順位、識別情報（ＵＲＬ及び１２８ビットコード）、プッシュ情報、更新フラグ、更新時間等の情報を入力し、新規登録ボタンを選択すると、ウエブサーバ２は、該入力情報をデータ管理サーバ３へ送信する。これらの情報を受信したデータ管理サーバ３は、図１４に示すように該プッシュ情報と識別情報を関連つけて記憶手段のプッシュ情報テーブルに順次記憶する。
そしてユーザが、ネットワーク端末１０にて前述と同様にオブジェクト２４をドラッグ操作した場合、演算処理部１２ａは、ブックマーク画像管理手段の機能により、オブジェクト２４のアドレス情報と識別情報を記憶手段１３に記憶する。
なお、ブックマーク画像２４ａの記録や表示は、前述と同様に行う。
次に本システムにおけるプッシュ配信手順について図１５を用いて説明する。
ネットワーク端末１０は、前記プッシュ情報及び識別情報を記憶し、スクラップ領域に画像を表示（Ｓ１２）した場合、演算処理部１２ａの識別情報送信手段の機能により、識別情報と個人認証キーを、プッシュ情報を要求する旨の信号（プッシュ情報要求コマンド）と共にデータ管理サーバ３に送信する（Ｓ２１）。このプッシュ情報要求コマンドを送信するタイミングは、識別情報の記憶と同時や、所定時間毎、閲覧ソフトウェア（ブラウザ）の起動時など、任意に設定可能である。
これに応じデータ管理サーバ３は、認証を行い、適正に認証された場合には、識別番号に対応した配信情報を記憶手段から抽出し（Ｓ２２）、ネットワーク端末１０に配信する（Ｓ２３）。
ネットワーク端末１０は、配信情報受信手段の機能により該プッシュ情報を受信し（Ｓ２４）、受信したプッシュ情報をスクラップ領域の特定位置にプッシュ情報を表示する（Ｓ２５，Ｓ２６）。
以上のように本実施形態によれば、ユーザがブックマーク画像、即ち興味をもった画像に対する情報を配信することができる。
例えば、ネットワーク端末１０が、オークションサイトを提供するサーバ２に接続し、出品されている商品の画像をブックマークした場合に、該商品の現在の入札価格や、指定した価格に到達したか否かなどの情報を配信する。
また、ネットワーク端末１０が、オンラインショップを提供するサーバ２に接続し、販売されている商品の画像をブックマークした場合に、該商品の現在の販売価格や、現在購入することによって得られるインセンティブ（キャッシュバックキャンペーン等）などの情報を配信する。
なお、前記の例では、プッシュ情報の内容がテキストの例を示したが、これに限らずプッシュ情報としてプログラムを配信し、スクラップ領域のブックマーク画像２４ａからそれぞれプログラムを実行することも可能である。以下にこの例を示す。
《プログラム配信例》
（Ａ）ウエブサーバ２からデータ管理サーバへの送信
まず、ウエブサーバ２からデータ管理サーバ３に接続し、登録者ＩＤを入力すると、データ管理サーバ３が記憶手段に記憶しているプッシュ情報のうち、図１６に示すような該登録者ＩＤに関連する情報を掲載したページが表示される。また、このページから新規登録ボタンを選択すると図１７に示すようなプッシュ情報新規登録ページが表示される。
登録者（ウエブサーバ２の操作者）が、該ページの入力欄に優先順位、識別情報（ＵＲＬ及び１２８ビットコード）、プッシュ情報（プログラム）の格納場所、更新フラグ、更新時間等の情報を入力し、新規登録ボタンを選択すると、ウエブサーバ２は、該入力情報をデータ管理サーバ３へ送信する。これらの情報を受信したデータ管理サーバ３は、図１８に示すように該プッシュ情報と識別情報を関連つけて記憶手段のプッシュ情報テーブルに順次記憶する。
そしてユーザが、ネットワーク端末１０にて前述と同様にオブジェクト（本例では、プログラムを表すアイコンやリンク）２４をドラッグ操作した場合、演算処理部１２ａは、ブックマーク画像管理手段の機能により、オブジェクト２４のアドレス情報と識別情報を記憶手段１３に記憶する。
なお、ブックマーク画像２４ａの記録や表示は、前述と同様に行う。
次に本システムにおけるプッシュ配信手順について図１９，図２０を用いて説明する。
ネットワーク端末１０は、前記プッシュ情報及び識別情報を記憶し、スクラップ領域に画像を表示（Ｓ１２）した場合、演算処理部１２ａの識別情報送信手段の機能により、識別情報と個人認証キーを、プッシュ情報要求コマンドと共にデータ管理サーバ３に送信する（Ｓ３１）。このプッシュ情報要求コマンドを送信するタイミングは、識別情報の記憶と同時や、所定時間毎、閲覧ソフトウェア（ブラウザ）の起動時など、任意に設定可能である。
これに応じデータ管理サーバ３は、認証を行い、適正に認証された場合には、識別番号に対応した情報を記憶手段から抽出し（Ｓ３２）、ネットワーク端末１０に配信する（Ｓ２３）。
ネットワーク端末１０は、配信情報受信手段の機能により該情報を受信し（Ｓ３４）、この情報に含まれるプログラム或は該情報に示される場所に格納されているプログラムを実行する（Ｓ３５，Ｓ３６）。
例えば図２１に示すプログラムが配信されて実行した場合、ネットワーク端末１０は、ウエブサーバ２上の特定情報を参照する旨の信号を該サーバ２に送信する（Ｓ３７）。
ウエブサーバ２は、このプログラムによって要求される特定情報をあらかじめ記憶手段に記憶しておき、該要求信号に応じて該特定情報を記憶手段から抽出し（Ｓ３８）、該特定情報をネットワーク端末１０に送信する（Ｓ３９）。
ネットワーク端末１０は、該特定情報を受信し、記憶手段中の情報をこの最新情報に更新すると共にディスプレイ上に表示する（Ｓ４１〜Ｓ４３）。
図２２（Ａ）は、この特定情報として動画を取得する場合の説明図である。
例えば図２３に示すようなプログラムをプッシュ情報として配信された場合、ネットワーク端末１０は、プログラムに定義されている動画ファイルを特定情報としてウエブサーバ２に要求し、これを取得して図２２（Ｂ）のようにスクラップ領域のブックマーク画像の個所で該動画ファイル（図ではＡ．ｍｐｇ）の表示、所謂ストリーミング表示を行う。
図２４は、スクラップ領域のアイコン選択メニューの変更プログラムの例を示すものである。
ネットワーク端末１０は、プッシュ情報として図２４に示すプログラムを取得し、実行することで、アイコンを選択した際のメニュー（例えばアイコンを右クリックしたときに表示されるプルダウンメニュー）が変更される。
これにより、ウエブサーバ２が提供するサービスを利用し易いメニューにカスタマイズすること等が可能となる。例えば図２５（Ａ）に示すメニューを図２５（Ｂ）のように変更し、異なるサーバのＵＩＤ（ユーザＩＤ）とＰＷＤ（パスワード）を統一するシングルサインオンシステム等に有用である。
図２６は、特定情報をウエブサーバに要求して取得し、これを別のサーバに転送するプログラムの例を示すものである。
ネットワーク端末１０は、このプログラムが配信されて実行した場合、図２７に示すように特定情報を例えばウエブサーバ２ａに要求し、このウエブサーバ２ａから特定情報を取得する。そしてこの特定情報をそのまま或は所定の処理を行った後にウエブサーバ２ｂに転送する。
そして該ウエブサーバ２ｂからの特定情報、例えばサーバ２ａの特定情報を取り込んだサーバ２ｂのウエブページを取得し、表示する。これにより、複数のサーバのデータを連携させることができる。
図２８は、複数のサーバから得た特定情報を別のサーバに転送するプログラムの例を示すものである。
ネットワーク端末１０は、このプログラムが配信され、図２９（Ａ）のように実行を選択した場合、このプログラムに定義されている複数のウエブサーバ（本例では２ａ，２ｂ）にそれぞれ特定情報を要求し、このウエブサーバ２ａ，２ｂから取得した特定情報をそのまま或は所定の処理を行った後にウエブサーバ２ｃ（不図示）に転送する。
そしてウエブサーバ２ｃから特定情報（本例では２ａ，２ｂの特定情報を取り込んだウエブページ）を取得し、図２９（Ｂ）の如く表示する。
これにより、複数のサーバからの特定情報の比較など、アグリゲーションサービスの提供が可能となる。
〈第３の実施形態〉
図３０は、第１の実施形態の変形例を示したもので、図１９に対応したフロー図である。
同図において、ウエブサーバ２ａは、プログラム情報をデータ管理サーバ３に対してあらかじめ送信しておく（Ｓ３０１）。これを受信したデータ管理サーバ３は、当該プログラム情報を登録する（Ｓ３０２）。ウエブサーバ２ａは、データ管理サーバ３にプログラム情報が登録されると処理を完了する（Ｓ３０３）。
ここで、プログラム情報とは、専用プログラム本体とプログラム識別テーブルとで構成されている。専用プログラム本体は、インターネット端末に表示されたブックマーク画像に拡張機能を付与するもので、この機能については後述する。
次に、ネットワーク端末１０は、スクラップ領域に画像を表示し（Ｓ３０４）、演算処理部１２ａの識別情報送信手段の機能により、未受信のプログラム識別テーブルの送信要求コマンドをデータ管理サーバ３に送信する（Ｓ３０５）。
これに応じたデータ管理サーバ３は、認証を行い、適正に認証された場合には、識別番号に対応した未送信プログラム識別テーブルを索出し（Ｓ３０６）、当該テーブルをネットワーク端末１０に送信する（Ｓ３０７）。
前記プログラム識別テーブルを受信したネットワーク端末１０は、自身のデータベースに当該テーブルを格納する（Ｓ３０８）。
次に、ネットワーク端末１０において、ウエブサーバ２ａのウエブ情報を閲覧している際に、画面上に表示された所定のアイコン画像をドラッグ＆ドロップ操作によってスクラップ領域に移動させたときには、当該アイコン画像から識別情報を抽出し（Ｓ３１１）、この識別情報をキーにしてプログラム識別テーブルを検索し（Ｓ３１２）、識別テーブルに登録された当該識別情報に対応する専用プログラム本体の特定情報（対象ＵＲＬとパス等）を読み出す。そして、ウエブサーバ２ａに対して専用プログラム本体の送信要求を行う（Ｓ３１３）。
ウエブサーバ２ａでは、前記送信要求に基づいて当該専用プログラム本体をネットワーク端末１０に送信する（Ｓ３１４）。
専用プログラム本体を受信したネットワーク端末１０は、専用プログラム本体を解析し、この専用プログラム本体中に識別情報を書き込んで当該専用プログラムに基づく表示を行う（Ｓ３１５，Ｓ３１６，Ｓ３１８）。
プログラム識別テーブルは図３２に示す構成を有している。すなわち、顧客ＩＤと、実行日付と、対象ＵＲＬと専用プログラムのパス等を関連付けて登録している。同図において、「実行日付」とは、専用プログラムがウエブサーバ２ａからデータ管理サーバ３に登録された日付を示しているが、当該専用プログラムに期限を設定した場合には終了日付を登録するようにしてもよい。「タイプ」は、対象となるアドレス（ＵＲＬ）が全体か部分かを識別するためのフラグであり、「ＦＵＬＬ」は全体、「ＰＡＲＴ」は部分を意味している。「対象ＵＬＲ」は、対象となるＵＲＬを短く表示したものであり、「プログラムパス」は当該専用プログラム本体が格納されたデータ管理サーバ３のパスを示している。また、「関連ファイル」は、当該専用プログラムに関連したファイルを示しており、ここにストリーミング配信用のデータを登録しておくことにより、専用プログラムとともにストリーミングコンテンツデータをネットワークにダウンロードさせることができ、ネットワーク端末においてオフライン状態でもストリーミングの再生を可能にすることができる。
図３３は、ステップＳ３１５でウエブサーバ２ａから受信した専用プログラム本体（テンプレートプログラム）の一例を示しており、当該専用プログラム本体にステップＳ３１６で識別情報を書き込んだものが図３４である。この例では、６４ドット×６４ドットのアイコン表示のブックマーク画像の専用プログラムを示している。
図３５〜図４２は専用プログラムのための拡張スクリプト仕様を示したものである。また、図４３は特定のフォルダ内にあるアイコン数と各アイコンＩＤを取得するためのの記述例を示したものである。
このような第３の実施形態を用いれば、スクラップ領域に表示されたアイコン（ブックマーク画像）そのものに意味を持たせたり、実際のウエブサーバ２ａと連動させて視覚的に変化させることができるため、たとえばインターネットショッピングにおいて、スクラップ領域をショッピングカートとして用いる例として、ここに商品アイコンをドラッグ＆ドロップし商品アイコンの専用プログラムを実行して商品ＩＤを抽出する。そして、複数の商品ＩＤを決済用ウエブアプリケーションに対して一度に受け渡して、複数の商品の決済前確認画面をウエブページに自動表示させることもできる。
また、スクラップ領域に表示された商品アイコンのリンク先のウエブページのｈｔｍｌを自動解析して、リンク先のウエブページに記載されている当該商品の現在の価格をスクラップ領域の商品アイコン上に自動表示するようなことも可能である。
さらに、自治体や企業等の電子・入札等において、スクラップ領域のアイコンをリンク先のウエブページの変化に合わせて視覚的に変化させたり、複数サーバの情報を自動的に取得してスクラップ領域上の複数のアイコンに反映させてもよい。
このように、スクラップ領域にリンク先のウエブページと連動可能なアイコンを表示させることにより、楽曲配信や、金融アグリゲーション、旅行エージェントツール（商品アイコンが複数表示されているアイコンフォルダをパンフレットとして利用）として用いることができるようになる。
〈その他の実施形態〉
本発明のウエブページ閲覧方法、ウエブページ閲覧プログラム及びウエブページ閲覧システムは、上述の図示例にのみ限定されるものではなく、本発明の要旨を逸脱しない範囲内において種々変更を加え得ることは勿論である。
なお、オブジェクトとしては、イメージタグで指定した画像ファイルに限らず、動画や表、指定した範囲のテキスト、音、プログラム等、ウエブページに表されるデータであればよい。
本発明の実施の形態に係るウエブページ閲覧プログラムは、半導体メモリを始め、ＣＤ−ＲＯＭや磁気テープなどのコンピュータ読み取り可能な記録媒体に格納して配付しても、ネットワークを介して配信してもよい。そして、該プログラムは、ウエブページの閲覧ソフトウェア（所謂ウエブブラウザ）と一体に配布されてもよいし、市販の閲覧ソフトウェアに本発明の特徴とするスクラップ領域表示手段やブックマーク画像管理手段の機能を付加するアドインソフトウェアとして配布するものでもよい。
以上に説明したとおり、本発明によれば、ウエブページ上の画像をドラッグ＆ドロップ操作によりブックマーク画像として対応するアドレス情報と共に記憶し、該ブックマーク画像の選択によって目的のウエブページを表示することを可能とし、容易にウエブページを閲覧できるようにしたウエブページ閲覧方法、ウエブページ閲覧プログラム及びウエブページ閲覧システムを提供することができる。
産業上の利用可能性
本発明は、インターネット上におけるホームページの閲覧、ストリーミング配信、ウエブショッピング、自動入札システム、楽曲配信、金融アグリゲーション、旅行エージェント等に利用できる。
【図面の簡単な説明】
図１は、本発明に係る第１の実施形態の概略図
図２は、第１の実施形態に係るウエブ閲覧システムの概略図
図３は、ウエブページ閲覧方法の説明図
図４は、ブックマーク画像のドラッグ＆ドロップ操作の説明図
図５は、ブックマーク画像のドラッグ＆ドロップ操作の説明図
図６は、ブックマーク画像のドラッグ＆ドロップ操作の説明図
図７は、ブックマーク画像のドラッグ＆ドロップ操作の説明図
図８は、ブックマーク画像のドラッグ＆ドロップ操作の説明図
図９は、本発明に係る第２の実施形態としてのウエブ閲覧システムの説明図
図１０は、本発明に係る第２の実施形態のネットワーク端末の概略図
図１１は、記憶手段に記憶されているアドレス情報の説明図
図１２は、プッシュ情報トップページの説明図
図１３は、プッシュ情報新規登録ページの説明図
図１４は、プッシュ情報テーブルの説明図
図１５は、プッシュ配信手順の説明図
図１６は、プログラム情報トップページの説明図
図１７は、プログラム情報新規登録ページの説明図
図１８は、プッシュ情報テーブルの説明図
図１９は、プッシュ配信手順の説明図
図２０は、プッシュ配信手順の説明図
図２１は、特定情報を取得するプログラムを示す図
図２２は、特定情報として動画を取得する場合の説明図
図２３は、ストリーミング表示を行うプログラム例を示す図
図２４は、アイコン選択メニューの変更プログラムの例を示す図
図２５は、アイコン選択メニューの変更の説明図
図２６は、特定情報の転送を行うプログラム例を示す図
図２７は、特定情報の転送の説明図
図２８は、複数サーバからの特定情報の転送を行うプログラム例を示す図
図２９は、複数サーバからの特定情報の転送の説明図
図３０は、専用プログラムの配信手順の説明図（１）
図３１は、専用プログラムの配信手順の説明図（２）
図３２は、プログラム識別テーブルの例を示す図
図３３は、専用プログラムのソースファイル例を示す図（１）
図３４は、専用プログラムのソースファイル例を示す図（２）
図３５は、専用プログラムのための拡張スクリプト仕様を示す図（１）
図３６は、専用プログラムのための拡張スクリプト仕様を示す図（２）
図３７は、専用プログラムのための拡張スクリプト仕様を示す図（３）
図３８は、専用プログラムのための拡張スクリプト仕様を示す図（４）
図３９は、専用プログラムのための拡張スクリプト仕様を示す図（５）
図４０は、専用プログラムのための拡張スクリプト仕様を示す図（６）
図４１は、専用プログラムのための拡張スクリプト仕様を示す図（７）
図４２は、専用プログラムのための拡張スクリプト仕様を示す図（８）
図４３は、アイコンＩＤの取得のための記述例を示す図
【図１】
2003096224.tif 000003
【図２】
2003096224.tif 000004
【図３】
2003096224.tif 000005
【図４】
2003096224.tif 000006
【図５】
2003096224.tif 000007
【図６】
2003096224.tif 000008
【図７】
2003096224.tif 000009
【図８】
2003096224.tif 000010
【図９】
2003096224.tif 000011
【図１０】
2003096224.tif 000012
【図１１】
2003096224.tif 000013
【図１２】
2003096224.tif 000014
【図１３】
2003096224.tif 000015
【図１４】
2003096224.tif 000016
【図１５】
2003096224.tif 000017
【図１６】
2003096224.tif 000018
【図１７】
2003096224.tif 000019
【図１８】
2003096224.tif 000020
【図１９】
2003096224.tif 000021
【図２０】
2003096224.tif 000022
【図２１】
2003096224.tif 000023
【図２２】
2003096224.tif 000024
【図２３】
2003096224.tif 000025
【図２４】
2003096224.tif 000026
【図２５】
2003096224.tif 000027
【図２６】
2003096224.tif 000028
【図２７】
2003096224.tif 000029
【図２８】
2003096224.tif 000030
【図２９】
2003096224.tif 000031
【図３０】
2003096224.tif 000032
【図３１】
2003096224.tif 000033
【図３２】
2003096224.tif 000034
【図３３】
2003096224.tif 000035
【図３４】
2003096224.tif 000036
【図３５】
2003096224.tif 000037
【図３６】
2003096224.tif 000038
【図３７】
2003096224.tif 000039
【図３８】
2003096224.tif 000040
【図３９】
2003096224.tif 000041
【図４０】
2003096224.tif 000042
【図４１】
2003096224.tif 000043
【図４２】
2003096224.tif 000044
【図４３】
2003096224.tif 000045
【国際調査報告】
2003096224.tif 000046
2003096224.tif 000047
2003096224.tif 000048
2003096224.tif 000049